(57)【特許請求の範囲】
【請求項１】
水と反応して発熱する加水発熱物質及び当該加水発熱物質から発せられる熱で蒸散する被加熱物質を収容する自己発熱缶と、前記自己発熱缶を収容するための水容器と、を備え、使用時に、所定量の水を注入した前記水容器の中に前記自己発熱缶が配置される加水発熱型蒸散器であって、
前記水容器は、底壁と当該底壁から立設された周壁とを有する透明または半透明の樹脂成形品から成り、
前記底壁の内面には、前記自己発熱缶を当該内面から離間して支持するための突起を有し、
前記周壁の外面には、成形型のシボ加工面が転写されたシボ模様を有し、前記シボ模様は、前記周壁を連続的に、または破線状に取り囲むとともに、当該シボ模様の上縁が前記水容器に注入する水の目標の水位線となるように設定されており、
前記自己発熱缶は、前記底壁の内面及び周壁の内面との間に隙間を空けて前記水容器中に配置されることを特徴とする加水発熱型蒸散器。
【発明の詳細な説明】
【０００１】
【発明の属する技術分野】
本発明は、殺虫剤等の薬剤を蒸散するのに好適な加水発熱型蒸散器に関する。
【０００２】
【従来の技術】
従来、加水発熱型蒸散器として、石灰等の加水発熱物質を収容した自己発熱缶を水容器内に収納したものが用いられている。水容器としては、底壁に周壁を立設した、上部開放型のものが一般的である。水容器の開放上部はシール部材によってシールされ、さらに上蓋が着脱可能に取り付けられている。上蓋の略中央には開口が設けられ、その開口は、上蓋と水容器との間に挟持された紙蓋によって塞がれている。
水容器は一般に、ポリプロピレン、ポリエチレン等の、透明又は半透明な樹脂で成形されている。水容器の周壁外面には、水を注ぐ目安となる水位線（例えば黒線）が印刷されている。
【０００３】
このような加水発熱型蒸散器においては、使用に際して、最初に上蓋、紙蓋及びシール部材を水容器から取り外す。次に、水容器内に所定量の水を注いで、水容器の周壁外面に印刷された水位線と、注いだ水の水位とが等しくなるようにする。その後、自己発熱缶を中に入れて、上蓋を再び水容器に取り付ける。そして、自己発熱缶内の加水発熱物質が水と反応して発熱すると、その熱によって被加熱物質が加熱され、例えば薬剤が上蓋の開口から外部に蒸散される。
【０００４】
【発明が解決しようとする課題】
加水発熱型蒸散器の水容器等には、コストダウンのために、その製造工程を簡素化することが望まれている。
また、加水発熱型蒸散器には、適正な量の水を注がれた際に、すぐれた害虫防除効果を奏することが望まれている。
本発明は、このような事情に鑑みてなされたもので、その目的は、製造が簡単な加水発熱型蒸散器を提供することにある。
【０００５】
【課題を解決するための手段】
本発明の目的は、下記構成とすることで達成できる。即ち、
水と反応して発熱する加水発熱物質及び当該加水発熱物質から発せられる熱で蒸散する被加熱物質を収容する自己発熱缶と、前記自己発熱缶を収容するための水容器と、を備え、使用時に、所定量の水を注入した前記水容器の中に前記自己発熱缶が配置される加水発熱型蒸散器であって、
前記水容器は、底壁と当該底壁から立設された周壁とを有する透明または半透明の樹脂成形品から成り、
前記底壁の内面には、前記自己発熱缶を当該内面から離間して支持するための突起を有し、
前記周壁の外面には、成形型のシボ加工面が転写されたシボ模様を有し、前記シボ模様は、前記周壁を連続的に、または破線状に取り囲むとともに、当該シボ模様の上縁が前記水容器に注入する水の目標の水位線となるように設定されており、
前記自己発熱缶は、前記底壁の内面及び周壁の内面との間に隙間を空けて前記水容器中に配置されることを特徴とする加水発熱型蒸散器。
【０００６】
水容器としては、円筒状の周壁を有するものが一般に用いられているが、このような周壁の円筒面に水位線を印刷するのは煩雑であった。かといって、水位線を削除すると、ユーザーが水を入れすぎてしまって加水発熱型蒸散器の所定の性能を発揮できないなど、使い勝手が低下する。このため、水位線を削除することはできない。
そこで、上記構成を採用すれば、成形型から取り出した水容器に、既に水位線が転写されているため、煩雑な印刷工程を省略できる。また、使い勝手を低下させることもない。こうして、水容器、ひいては加水発熱型蒸散器全体のコストダウンを図ることができる。
【０００７】
成形型にシボ加工面を設けておき、そのシボ加工面を水容器に転写することで、水容器には、すりガラスのような模様がつく。ユーザーはこの模様を水位線として認識できる。
【０００９】
【発明の実施の形態】
以下、本発明の実施形態を図面に基づいて詳しく説明する。図１に示す第１実施形態に係る加水発熱型蒸散器１０は、底壁１２に円筒状の周壁１３を立設した上部開放型の水容器１１と、水容器１１の内部に収納された自己発熱缶８０とを備えている。水容器１１の上部開口はシール部材である樹脂フィルム１４で塞がれている。水容器１１の上部には、紙蓋１５を挟んで、上蓋１６が着脱可能に取り付けられる。上蓋１６の中央部には蒸散開口１６ａが設けられている。
【００１０】
水容器１１の底壁１２の内面（上面）には、自己発熱缶８０を支持する突起１２ａが設けられている。この突起１２ａによって、水容器１１の底壁１２内面と、そこに置かれる自己発熱缶８０の底面との間に隙間を形成している。この隙間により、水容器１１に自己発熱缶８０の熱が奪われるのが防止され、自己発熱缶８０は効率良く発熱する。
なお、水容器１１はポリプロピレン、ポリエチレン等の、透明又は半透明な樹脂で成形されている。
【００１１】
有底円筒状の自己発熱缶８０には生石灰８１が収容されている。自己発熱缶８０の底板には通水孔８５が設けられている。自己発熱缶８０の底板上には通水部材である不織布シート８６が敷かれており、この不織布シート８６によって通水孔８５が塞がれている。自己発熱缶８０の内部であって、生石灰８１の上方には、被加熱容器８２が設けられている。被加熱容器８２内には被加熱物質８３が収容される。被加熱物質８３としては、下記の薬剤と助剤（例えば加熱により主として窒素ガスを発生する有機発泡剤）からなるものを採用できる。自己発熱缶８０の上部開口は、複数の開口８７ａに熱溶融性樹脂フィルムを貼った中蓋８７によって塞がれている。生石灰８１が発熱して被加熱物質８３が加熱されると、上記熱溶融性樹脂フィルムが溶けて、開口８７ａと上蓋１６の蒸散開口１６ａとを通して、殺虫成分が外部に放出される。
【００１２】
被加熱物質８３には、例えば有効成分としてメトキサジアゾンとフェノトリンとを含有した組成物を用いることができる。
このような組成物に含有させる薬剤（有効成分）としては、従来より用いられている殺虫剤、殺菌剤、忌避剤の各種薬剤が使用できる。
代表的な薬剤としては、以下のものが例示できる。
（１）ピレスロイド系殺虫剤
・３−アリル−２−メチルシクロペンタ−２−エン−４−オン−１−イル  ｄｌ−シス／トランス−クリサンテマート（一般名アレスリン：商品名ピナミン：住友化学工業株式会社製）
・３−アリル−２−メチルシクロペンタ−２−エン−４−オン−１−イル  ｄ−シス／トランス−クリサンテマート（商品名ピナミンフォルテ：住友化学工業株式会社製）
・ｄ−３−アリル−２−メチルシクロペンタ−２−エン−４−オン−１−イル
ｄ−トランス−クリサンテマート（商品名エキスリン：住友化学工業株式会社製）
・３−アリル−２−メチルシクロペンタ−２−エン−４−オン−１−イル  ｄ−トランス−クリサンテマート（一般名バイオアレスリン）
【００１３】
・Ｎ−（３，４，５，６−テトラヒドロフタリミド）−メチル  ｄｌ−シス／トランス−クリサンテマート（一般名フタルスリン：商品名ネオピナミン：住友化学工業株式会社製）
・５−ベンジル−３−フリルメチル  ｄ−シス／トランス−クリサンテマート（一般名レスメトリン：商品名クリスロンフォルテ：住友化学工業株式会社製）
・５−（２−プロパルギル）−３−フリルメチル  クリサンテマート（一般名フラメトリン）
・３−フェノキシベンジル  ２，２−ジメチル−３−（２′，２′−ジクロロ）ビニルシクロプロパン  カルボキシレート（一般名ペルメトリン：商品名エクスミン：住友化学工業株式会社製）
・３−フェノキシベンジル  ｄ−シス／トランス−クリサンテマート（一般名フェノトリン：商品名スミスリン：住友化学工業株式会社製）
・α−シアノフェノキシベンジル  イソプロピル−４−クロロフェニルアセテート（一般名フェンバレレート：商品名スミサイジン、住友化学工業株式会社製）
【００１４】
・ｄ−２−メチル−４−オキソ−３−プロパルギルシクロペント−２−エニル
ｄ−シス／トランス−クリサンテマート（一般名ｄ，ｄ−Ｔ８０−プラレトリン：商品名エトック、住友化学工業株式会社製）
・２，３，５，６−テトラフルオロ−４−メチルベンジル−３−（２´−クロロ−３´，３´，３´−トリフルオロ−１−プロペニル）−２，２−ジメチルシクロプロパンカルボキシレート（一般名テフルスリン）
・２，３，５，６−テトラフルオロベンジル−３−（２，２−ジクロロビニル）−２，２−ジチルシクロプロパンカルボキシレート（一般名トランスフルスリン）
・（Ｓ）−α−シアノ−３−フェノキシベンジル  （１Ｒ，シス）−３−（２，２−ジクロロビニル）−２，２−ジメチルシクロプロパンカルボキシレート
・（Ｒ，Ｓ）−α−シアノ−３−フェノキシベンジル  （１Ｒ，１Ｓ）−シス／トランス−３−（２，２−ジクロロビニル）−２，２−ジメチルシクロプロパンカルボキシレート（一般名シペルメトリン）
・（Ｒ，Ｓ）−α−シアノ−４−フロオロ−３−フェノキシベンジル（１ＲＳ）−シス／トランス−３−（２，２−ジクロロビニル）−２，２−ジメチルシクロプロパンカルボキシレート（一般名シフルトリン）
【００１５】
・α−シアノ−３−フェノキシベンジル  ｄ−シス／トランス−クリサンテマート（一般名シフェノトリン）
・１−エチニル−２−メチル−２−ペンテニル  シス／トランス−クリサンテマート
・１−エチニル−２−メチル−２−ペンテニル  ２，２−ジメチル−３−（２−メチル−１−プロペニル）シクロプロパン−１−カルボキシレート
・１−エチニル−２−メチル−２−ペンテニル  ２，２，３，３−テトラメチルシクロプロパンカルボキシレート
・１−エチニル−２−メチル−２−ペンテニル  ２，２−ジメチル−３−（２，２−ジクロロビニル）シクロプロパン−１−カルボキシレート
・イミプロトリン
【００１６】
（２）有機リン系殺虫剤
・Ｏ，Ｏ−ジメチル  Ｏ−（２，２−ジクロロ）ビニルホスフェート
・Ｏ−イソプロポキシフェニル  メチルカーバメート
・Ｏ，Ｏ−ジメチル  Ｏ−（３−メチル−４−ニトロフェニル）チオノフォスフェート
・Ｏ，Ｏ−ジエチル  Ｏ−２−イソプロピル−４−メチル−ピリミジル−（６）−チオフォスフェート
・Ｏ，Ｏ−ジメチル  Ｓ−（１，２−ジカルボエトキシエチル）−ジチオフォスフェート
【００１７】
（３）カーバメイト系殺虫剤
プロポクルス、カルバリル、ベンフラカルブ、アラニカルブ、フェノキシカルブなど、
（４）昆虫成長調節剤
メトプレン、ハイドロプレン、ピリプロキシフェン、フェノキシカルブ。
（５）キチン合成阻害型昆虫成長調節剤
ジフルベンズロン、トリフルムロン、テフルベンズロン、クロルフルアズロン、フルフェノクスロン、ヘキサフルロン、シロマジン
（６）その他の殺虫剤
ヒドラメチルノン、イミダクロブリド、アドマイヤー、アバメクチン、ホウ酸、スルフルアミド、ピラゾール系化合物、オキサジアゾール系化合物（メトキサジアゾンなど）
なお、上記（１）〜（６）の化合物には、その各種異性体、類縁体、誘導体も含まれる。
【００１８】
蒸散に際しては、その蒸散剤中に薬剤（有効成分）の蒸散を妨げないのであれば、通常用いられる効力増強剤、揮発率向上剤、消臭剤、防臭剤、香料等の各種添加剤を任意に添加することができる。
効力増強剤としては、ピペロニルブトオキサイド、Ｎ−プロピルイゾーム、ＭＧＫ−プロピルイゾーム、ＭＧＫ−２６４、サイネピリン２２２、サイネピリン５００、リーセン３８４、ＩＢＴＡ，Ｓ−４２１等が挙げられる。
揮散率向上剤としてはフェネチルイソチオシアネート、ハイミックス酸ジメチル等が挙げられる。
【００１９】
消臭剤、防臭剤としては、ラウリル酸メタクリレート、ゲラニルクロトネート、ミリスチン酸アセトフェノン、アニシックアルデヒド、ジフェニルオキサイド、安息香酸メチル、安息香酸エチル、フェニル酢酸エチル、サフロール、セダウッド油、セダ菜油、シトロネラ油、ペテイグレイン油、レモングラス油等が挙げられる。
香料としては、じゃ香、霊猫香、竜延香などの動物性香料；アビエス油、アジョクン油、アルモンド油、こしょう油、オレンジ油、セイジ油などの植物性香料を含む天然香料の他、合成又は抽出香料である人造香料も使用される。香料は一種類のみでもよいし、二種類以上を調合した調合香料でもよい。
その蒸散剤には、前記のものの他安定剤を併用してもよい。そのような安定剤としては、従来加熱蒸散用薬剤に使用されている各種安定剤を挙げることができる。
【００２０】
図１に示すように、水容器１１の周壁１３の外面には、成形金型のシボ加工面が転写されたリング状の模様が、水位線１３ａとして設けられている。
【００２１】
水容器１１内に水を注ぐ際には、図２に示すように、水容器１１内から自己発熱缶８０を一旦取り出す。そして、注いだ水の水位と水位線１３ａとが等しくなるまで水を注ぎ、その後再び自己発熱缶８０を水容器１１内に置く。
ここでは、水位線１３ａが周壁１３の外面の全周にわたって連続しているが、水位線１３ａは途切れていてもよく、例えば破線状であってもよい。
【００２２】
図３に、第２実施形態に係る加水発熱型蒸散器の要部を示す。本実施形態では、水容器２１の周壁２３の下部に、成形金型のシボ加工面が転写されている。つまり、周壁２３の下端から所定高さまでの全領域に、すりガラスのように曇った模様がついている。この曇った模様の上縁を、水位線２３ａとして機能させることができる。
ユーザーは、水容器２３内に水を注いでいき、注いだ水の水位が鮮明に見えるようになる時またはその直前に、水を注ぐのを止めればよい。
【００２３】
【実施例】
ネコノミの裸卵４０個（２０個／シャーレ×２）を、８畳の室内床面に置き、その室内に、図１に示したような機構を備えた加水発熱型蒸散器１０により下記の組成物１０ｇを加熱蒸散した。
［組成物］
・メトキサジアゾン                                            ０．８  ｇ
・フェノトリン                                                １．４  ｇ
・有機発泡剤（アゾジカルボンアミド）及び結合剤（デンプン）    残量
【００２４】
試験条件は、１時間に１回の換気を行った。蒸散後２時間放置し、その後、卵を室温２５℃、ＲＨ７５％の条件下で３日間放置して、卵の孵化状況を調べたところ、７６．６％の卵孵化抑制率を示した。
屋内塵性ダニ類についても同様の傾向がみられた。
【００２５】
なお、本発明は、前述した実施形態、実施例に限定されるものではなく、適宜な変形、改良等が可能である。
例えば、図３に示した形態において、曇った模様を周壁２３の周方向に途切れ途切れに設けてもよい。
【００２６】
【発明の効果】
以上説明したように、本発明によれば、製造が簡単でコストダウンを図ることが可能な加水発熱型蒸散器を提供することができる。
【図面の簡単な説明】
【図１】本発明の第１実施形態を示す概略断面図である。
【図２】第１実施形態の要部斜視図である。
【図３】第２実施形態の要部斜視図である。
【符号の説明】
１０            加水発熱型蒸散器
１１            水容器
１２            底壁
１３            周壁
１３ａ          水位線
８０            自己発熱缶
Ｗ              水
【図１】
0003844343.tif 000002
【図２】
0003844343.tif 000003
【図３】
0003844343.tif 000004